(57)【要約】【課題】踏板固定用のくさび７を打ち込みやすいものにする。【解決手段】階段の側桁１の内側面に形成された、前方及び内方に開放する踏板嵌入溝３に嵌められた踏板４の下方において、踏板４の下面と踏板嵌入溝３の下側面３ａとの間に形成される間隙５に挿入される踏板固定用のくさび７であって、前記踏板固定用のくさび７が、前端から後端に行くに従って上下方向厚みが薄くなるようになされた本体８と、この本体８の前部に連設された、踏板嵌入溝３から内側にはみ出す被打撃突出部９とを有している。【選択図】　図２
2004019201.tif 000002
【特許請求の範囲】
【請求項１】
階段の側桁の内側面に形成された、前方及び内方に開放する踏板嵌入溝に嵌められた踏板の下方において、踏板の下面と踏板嵌入溝の下側面との間に形成される間隙に挿入される踏板固定用のくさびであって、前記踏板固定用のくさびが、前端から後端に行くに従って上下方向厚みが薄くなるようになされた本体と、この本体の前部に連設された、踏板嵌入溝から内側にはみ出す被打撃突出部とを有している踏板固定用のくさび。
【請求項２】
前記被打撃突出部の前端面が内側を向く傾斜面となされている請求項１記載の踏板固定用のくさび。
【請求項３】
前記被打撃突出部の内側面の少なくとも下部が下側を向いた傾斜面となされ、一端が傾斜面に他端が外側面に位置するようにして貫通孔が前部に形成され、この貫通孔が、貫通孔に嵌められたくぎ又はねじの軸心が内側から外側に向かって上り傾斜となることを許容するようになされている請求項１又は２記載の踏板固定用のくさび。
【請求項４】
前記被打撃突出部の内側面が上下に２分され、下側面が下側を向いた傾斜面となされ、上側面が上側を向いた傾斜面となされ、一端が下側面に他端が外側面に位置するようにして貫通孔が前部に形成され、この貫通孔が、貫通孔に嵌められたくぎ又はねじの軸心が内側から外側に向かって上り傾斜となることを許容するようになされ、また、一端が上側面に他端が外側面に位置するようにして貫通孔が前部に形成され、この貫通孔が、貫通孔に嵌められたくぎ又はねじの軸心が内側から外側に向かって下り傾斜となることを許容するようになされている請求項１又は２記載の踏板固定用のくさび。
【発明の詳細な説明】
【０００１】
【発明の属する技術分野】
本発明は踏板固定用のくさびに関する。
【０００２】
【従来の技術】
従来、この種の踏板固定用のくさびとして以下の如きものは知られている。
階段の側桁の内側面（階段の左右方向中央に面する面）に形成された、前方及び内方に開放する踏板嵌入溝に嵌められた踏板の下方において、踏板の下面と踏板嵌入溝の下側面との間に形成される間隙に挿入される踏板固定用のくさびであって、前記踏板固定用のくさびが、前端から後端に行くに従って上下方向厚みが薄くなるようになされたものは知られている。
【０００３】
【従来技術の欠点】
前記従来の踏板固定用のくさびには以下の如き欠点があった。
従来の踏板固定用のくさびは、前端をハンマー等で打撃するようにしたものであったため、踏板固定用のくさびの前後長さが踏板嵌入溝の前後長さより短くて、踏板固定用のくさびの前端までもが踏板嵌入溝に嵌まり込む場合には、踏板固定用のくさびの前端に当たった状態で踏板嵌入溝より前方に突出する長さを有する棒材を、踏板固定用のくさびの前端に当て、この棒材を介して踏板固定用のくさびを打たざるを得ず、踏板固定用のくさびを打つ作業が行ないにくいという欠点があった。
【０００４】
【前記欠点を解消するための手段】
本発明は前記欠点を解消するために以下の如き手段を採用した。
▲１▼請求項１の発明は、階段の側桁の内側面に形成された、前方及び内方に開放する踏板嵌入溝に嵌められた踏板の下方において、踏板の下面と踏板嵌入溝の下側面との間に形成される間隙に挿入される踏板固定用のくさびであって、前記踏板固定用のくさびが、前端から後端に行くに従って上下方向厚みが薄くなるようになされた本体と、この本体の前部に連設された、踏板嵌入溝から内側にはみ出す被打撃突出部とを有しているものである。
▲２▼請求項２の発明は、前記被打撃突出部の前端面が内側を向く傾斜面となされている請求項１記載のものである。
▲３▼請求項３の発明は、前記被打撃突出部の内側面の少なくとも下部が下側を向いた傾斜面となされ、一端が傾斜面に他端が外側面に位置するようにして貫通孔が前部に形成され、この貫通孔が、貫通孔に嵌められたくぎ又はねじの軸心が内側から外側に向かって上り傾斜となることを許容するようになされている請求項１又は２記載のものである。
▲４▼請求項４の発明は、前記被打撃突出部の内側面が上下に２分され、下側面が下側を向いた傾斜面となされ、上側面が上側を向いた傾斜面となされ、一端が下側面に他端が外側面に位置するようにして貫通孔が前部に形成され、この貫通孔が、貫通孔に嵌められたくぎ又はねじの軸心が内側から外側に向かって上り傾斜となることを許容するようになされ、また、一端が上側面に他端が外側面に位置するようにして貫通孔が前部に形成され、この貫通孔が、貫通孔に嵌められたくぎ又はねじの軸心が内側から外側に向かって下り傾斜となることを許容するようになされている請求項１又は２記載のものである。
【０００５】
【発明の効果】
本発明は前記した如き構成によって以下の如き効果を奏する。
▲１▼請求項１の発明によれば、踏板嵌入溝から内側にはみ出す被打撃突出部をハンマー等で打つことが出来るので、踏板固定用のくさびの前後長さが踏板嵌入溝の前後長さより短くて、踏板固定用のくさびの前端までもが踏板嵌入溝に嵌まり込む場合であっても、踏板固定用のくさびを打ち込む作業が行ないやすい。
▲２▼請求項２の発明によれば、被打撃突出部をハンマー等で打った際、踏板固定用のくさびに外側に移動する力、即ち、踏板固定用のくさびに踏板嵌合溝の奥側面に向かう力が作用するので、踏板固定用のくさびを踏板嵌合溝の奥側面に密接させやすい。
▲３▼請求項３の発明によれば、くぎ又はねじを、それらの軸心が内側から外側に向かって上り傾斜となる状態で、即ち、くぎ又はねじの頭が斜め下を向く状態で、貫通孔に嵌めて側桁に至らせることが出来るので、踏板がくぎの打ち込み作業やねじの回動作業の邪魔になりにくい状態でそれら作業を行なうことが出来、その結果、それら作業が行ないやすい。
▲４▼請求項４の発明によれば、くぎ又はねじを、それらの軸心が内側から外側に向かって上り傾斜となる状態で、即ち、くぎ又はねじの頭が斜め下を向く状態で、貫通孔に嵌めて側桁に至らせることが出来るので、踏板がくぎの打ち込み作業やねじの回動作業の邪魔になりにくい状態でそれら作業を行なうことが出来、その結果、それら作業が行ないやすい。また、１つの踏板固定用のくさびを上下反転させることにより、１つの踏板固定用のくさびを、前記効果を有する左用のものとしても、右用のものとしても使用することが出来るので、施工現場での使い勝手がよい。
【０００６】
【発明の実施の形態】
以下に本発明の実施の形態を説明する。
なお、この説明において、前とは図１右側を、後とは同図左側をいい、内とは図１紙面表側を、外とは同表側をいう。
【０００７】
階段は図示の左側の側桁１と、図１の紙面表側において左側の側桁１との間に所定間隔をあけて位置する右側の側桁（図示略）とを有している。前記右側の側桁は、鏡面を左側の側桁１に向けるようにして置いた鏡で左側の側桁１を映したときに表われる像と同一の形状をしているので、以下、左側の側桁１について詳述する。
【０００８】
左側の側桁１の内側面には、高さ方向に所定間隔で、前方及び内方に開放する踏板嵌入溝３が形成されている。この踏板嵌入溝３は、前方に下り傾斜した下側面３ａと、水平な上側面３ｂと、垂直な奥側面３ｃとを有している。
【０００９】
踏板嵌入溝３には踏板４の端部が前方から後方に向かってスライド嵌めされ、この踏板４の下面と踏板嵌入溝３の下側面３ａとの間に形成される間隙５に、合成樹脂製等の踏板固定用のくさび７が前方から後方に向かって挿入されている。
【００１０】
前記踏板固定用のくさび７は、前端から後端に行くに従って上下方向厚みが薄くなるようになされた本体８と、この本体８の前部に連設された、踏板嵌入溝３から内側にはみ出す被打撃突出部９とを有している。前記本体８の幅Ｌは踏板嵌入溝３の幅に等しいか又はほぼ等しくなされ、被打撃突出部９の幅Ｍは１５ｍｍ前後となされている。
【００１１】
前記被打撃突出部９の前端面１０が内側を向く傾斜面となされている。即ち、図３において前端面１０と外側面１２とのなす角度αが８０度前後となるようになされている。本実施の形態では、本体８の前端面も前端面１０に繋がる傾斜面となされている。このような構成により、踏板固定用のくさび７を間隙５に後方に向けて嵌め入れるべく、被打撃突出部９の前端面１０をハンマー等で打撃すれば、踏板固定用のくさび７に外側に移動する力、即ち、踏板固定用のくさび７に踏板嵌合溝３の奥側面３ｃに向かう力が作用するので、踏板固定用のくさび７を踏板嵌合溝３の奥側面３ｃに密接させやすい。
【００１２】
前記被打撃突出部９の内側面１１が上下に２分され、下側面１１ａが下側を向いた傾斜面（内側に向かって上り傾斜の傾斜面）となされ、上側面１１ｂが上側を向いた傾斜面（内側に向かって下り傾斜の傾斜面）となされている。図３に示すごとく、踏板固定用のくさび７の前部に、一端が下側面１１ａに他端が外側面１２に位置するようにして、少なくとも１つ、本実施の形態では２つの貫通孔１４が形成されている。前記貫通孔１４は、貫通孔１４に嵌められたくぎ１７の軸心が内側から外側に向かって上り傾斜となることを許容するようになされている。本実施の形態の貫通孔１４の上下方向長さは、踏板固定用のくさび７の製作の都合上、外側に行くほど大きくなるようになされているが、そうでなくてもよいことは云うまでもない。なお、貫通孔１４の前後方向長さは変化しない。このような構成により、くぎ１７を、その軸心が内側から外側に向かって上り傾斜となる状態で、即ち、くぎ１７の頭が斜め下を向く状態で、貫通孔１４に嵌めて左側の側桁１に至らせることが出来るので、踏板４がくぎ１７の打ち込み作業の邪魔になりにくい状態でその作業を行なうことが出来、その結果、その作業が行ないやすい。
【００１３】
図４に示すごとく、踏板固定用のくさび７の前部に、一端が上側面１１ｂに他端が外側面１２に位置するようにして、少なくとも１つ、本実施の形態では２つの貫通孔１５が形成されている。前記貫通孔１５は、貫通孔１５に嵌められたくぎ１７の軸心が内側から外側に向かって下り傾斜となることを許容するようになされている。本実施の形態の貫通孔１５の上下方向長さは、踏板固定用のくさび７の製作の都合上、外側に行くほど大きくなるようになされているが、そうでなくてもよいことは云うまでもない。なお、貫通孔１５の前後方向長さは変化しない。このような構成により、踏板固定用のくさび７を図示の状態から上下反転させ、貫通孔１５を通じてくぎ１７を右側の側桁に打ち込むことにより、踏板４がくぎ１７の打ち込み作業の邪魔になりにくい状態でその作業を行なうことが出来るものである。
【００１４】
下側の踏板４の前端と上側の踏板４の後端部とには、公知のごとくけ込み板１８が渡されている。
【００１５】
【発明の実施の形態の使用方法】
次に発明の実施の形態の使用方法を説明する。
左側の側桁１の踏板嵌入溝３とそれに対向する右側の側桁の踏板嵌入溝に踏板４の端部を嵌めた後、踏板固定用のくさび７を間隙５に被打撃突出部９を打撃しつつ挿入する。その後、左側の側桁１には貫通孔１４を通じてくぎ１７を打ち込み、右側の側桁には貫通孔１５を通じてくぎ１７を打ち込む。
【００１６】
【変形例等】
以下に変形例等について説明を加える。
（１）内側面１１は上側面１１ｂを有しないものであってもよい。この場合、踏板固定用のくさび７は左用と右用を別個に製造することになる。要するに、内側面１１は下側面１１ａを有するだけの場合もある。
（２）くぎ１７に代えてねじを使用する場合もある。
（３）被打撃突出部９の前後長さは任意である。
（４）この踏板固定用のくさび７は、階段の回り部の踏板の下面と踏板嵌入溝の下側面との間に形成される間隙に挿入されるものとしても好適である。
【図面の簡単な説明】
【図１】本発明の実施の形態を示す要部側面図である。
【図２】図１のＩＩ−ＩＩ線拡大断面図である。
【図３】図２のＩＩＩ−ＩＩＩ線拡大端面図である。
【図４】図２のＩＶ−ＩＶ線拡大端面図である。
【符号の説明】
１　左側の側桁
３　踏板嵌入溝
３ａ　下側面
３ｂ　上側面
３ｃ　奥側面
４　踏板
５　間隙
７　踏板固定用のくさび
８　本体
９　被打撃突出部
【図１】
2004019201.tif 000003
【図２】
2004019201.tif 000004
【図３】
2004019201.tif 000005
【図４】
2004019201.tif 000006